(57)【特許請求の範囲】
【請求項１】
ビデオライトをビデオカメラに一体に内蔵したライト内蔵ビデオカメラにおいて、
前記ビデオカメラに設けられたビデオライト入力スイッチに対する入力操作に応答してタイマをスタートさせると共に、ＣＰＵで前記タイマを制御するようにし、カメラブロックに設けられている照度計の情報を前記ＣＰＵに伝え、前記ＣＰＵが被写体の照度を判断し、照明が必要な場合にビデオライトコントロールスイッチをオンにして前記ビデオライトを点灯し、前記タイマがタイムアウトした場合は前記ビデオライトコントロールスイッチをオフにして前記ビデオライトを消灯し、前記タイマがタイムアウトする前に前記ビデオカメラの記録・停止スイッチキーが押された場合には前記タイマをリトリガーしてその時点から再度前記タイマをスタートして前記ビデオライトの点灯状態を継続するようにしたことを特徴とするライト内蔵ビデオカメラ。
【請求項２】
請求項１記載のライト内蔵ビデオカメラにおいて、
前記スイッチキーは前記ビデオカメラの記録・停止スイッチのキーであることを特徴とするライト内蔵ビデオカメラ。
【請求項３】
請求項１又は２記載のライト内蔵ビデオカメラにおいて、
前記ビデオライトはハロゲンランプであり、前記タイマは５分間でタイムアウトする５分間タイマであることを特徴とするライト内蔵ビデオカメラ。
【請求項４】
請求項１乃至３のいずれか１項記載のライト内蔵ビデオカメラにおいて、
前記ＣＰＵは前記ビデオカメラの電源ブロック、キーブロック及び表示ブロックを制御することを特徴とするライト内蔵ビデオカメラ。
【発明の詳細な説明】
【０００１】
【発明の属する技術分野】
本発明は、小型ビデオカメラに照明用のビデオライトを一体に内蔵したライト内蔵ビデオカメラに関するものである。
【０００２】
【従来の技術】
小型ビデオカメラにおいて、低照度の場合の撮影用に別体のビデオライトをビデオカメラに取り付け使用している。
ビデオライトは、一般にケース体にハロゲンランプとバッテリが収容され、このケース体に取り付けアームが設けられたもので、この取り付けアームを介してビデオカメラ本体に取り付けるようにしている。
【０００３】
【発明が解決しようとする課題】
別体のビデオライトをビデオカメラの取り付ける形式のものは、撮影の都度ビデオライトを着脱しなければならず、また、持ち運びにも不便であるので、ビデオライトをビデオカメラに内蔵することが考えられるが、その場合次のような問題が生ずる。
ビデオライトを点灯するためのビデオライト入力スイッチは、低照度の場合に即座に点灯できるようにするため、できるだけ簡単にオン、オフ操作できるように操作性を考慮した構成にする必要がある。
ところが、このように簡単にオン、オフされると、例えばキャリングバッグ等にビデオカメラを収容して持ち運びする場合、キャリングバッグの中で何かに接触してビデオライト入力スイッチがオンになるおそれがある。
ビデオライト入力スイッチがオンになると、キャリングバッグ内でビデオライトが点灯し、長時間気がつかないまま点灯が継続し、ランプやバッテリを消耗することになる。
本発明は上述の点に着目してなされたもので、ビデオライトを内蔵したビデオカメラであって、タイマで設定された所定時間経過後にビデオライトが自動的に消灯するようにして、ビデオライトのランプやバッテリの消耗を防止したライト内蔵ビデオカメラを提供することを目的とする。
【０００４】
【課題を解決するための手段】
本発明ライト内蔵ビデオカメラはビデオライトをビデオカメラに一体に内蔵したライト内蔵ビデオカメラにおいて、このビデオカメラに設けられたビデオライト入力スイッチに対する入力操作に応答してタイマをスタートさせると共に、ＣＰＵでこのタイマを制御するようにし、カメラブロックに設けられている照度計の情報をこのＣＰＵに伝え、このＣＰＵが被写体の照度を判断し、照明が必要な場合にビデオライトコントロールスイッチをオンにしてこのビデオライトを点灯し、このタイマがタイムアウトした場合はこのビデオライトコントロールスイッチをオフにしてこのビデオライトを消灯し、このタイマがタイムアウトする前にこのビデオカメラの記録・停止スイッチキーが押された場合にはこのタイマをリトリガーしてその時点から再度このタイマをスタートしてこのビデオライトの点灯状態を継続するようにしたものである。
【０００６】
本発明では、ビデオライトをビデオカメラに一体に内蔵したライト内蔵ビデオカメラであり、撮影の都度ビデオライトを着脱する不便を解消すると共に、ビデオライトはタイマで設定された時間経過後に自動的に消灯するようにしたので、キャリングバッグ等にビデオカメラを収容して持ち運びする場合、知らないうちに記録・停止スイッチキーがオンになっても所定時間後には自動的に消灯し、長時間連続点灯によるランプやバッテリの消耗を防止する。
【０００７】
【発明の実施の形態】
以下、本発明を図面に示す実施の形態に基づいて説明する。
図１において、記録・停止スイッチＳＷ２は撮影時に操作されるビデオカメラのメインスイッチであり、ビデオカメラのボディに設けられたタクト式のスイッチキーでオンオフ操作できるようになっている。
この記録・停止スイッチＳＷ２のオンオフ情報は中央処理ユニット（ＣＰＵ）１に入力される。
ＣＰＵ１は、この情報によりビデオカメラの電源部である電源ブロック３、ビデオカメラの各操作スイッチであるキーブロック４、および点灯表示部である表示ブロック５を制御する。
【０００８】
ビデオカメラに内蔵されるハロゲンランプ等のビデオライト６は、ビデオライトコントロールスイッチＳＷ３およびビデオライト入力スイッチＳＷ１を介して電源ブロック３に接続されている。
ビデオライト入力スイッチＳＷ１はビデオカメラに設けられたスイッチキーで操作できるようになっており、このスイッチオンの信号はＣＰＵ１に入力されるようになっている。
５分間タイマ７は、ビデオライト１の点灯時間を５分間に設定するもので、ビデオライト入力スイッチＳＷ１がオンになったとき、この情報をトリガーにＣＰＵ１が５分間タイマ７をスタートさせる。
なお、本実施の形態ではビデオライト６としてハロゲンランプを使用する場合の例を示しており、ハロゲンランプの連続点灯時間は５分間が適当であるので、５分間タイマ７を用いているが、この設定時間は任意であって、５分間に限定されない。
ＣＰＵ２は、ＣＰＵ１の情報によりビデオカメラのビデオデッキであるメカデッキブロック８およびビデオ部分であるカメラブロック９に情報を送り、また、メカデッキブロック８およびカメラブロック９からの情報を処理してＣＰＵ１に送るものである。
【０００９】
次に上記回路の動作を説明する。
ビデオライト入力スイッチＳＷ１をオンにすると、ＣＰＵ１はこの情報をトリガーに５分間タイマ７を初期値（この場合は５分間）にセットし、５分間タイマ７はスタートすると同時にビデオライトコントロールスイッチＳＷ３をオンしてビデオライト１を点灯する。
５分間タイマ７がタイムアウトした場合は、ＣＰＵ１によりビデオライトコントロールスイッチＳＷ３をオフにしてビデオライト６を消灯するが、タイムアウトする前に記録・停止スイッチＳＷ２のキーが押された場合は、５分間タイマをリトリガーしてその時点から再度５分間タイマ７を起動し、ビデオライト６の点灯状態は継続する。
【００１０】
この後、５分間タイマ７ががタイムアウトした場合は、ＣＰＵ１によりビデオライトコントロールスイッチＳＷ３をオフしてビデオライト６を消灯するが、タイムアウト前に記録・停止スイッチＳＷ２が押されたら、再度５分間タイマ７をリトリガーして５分間タイマを起動し、ビデオライト６の点灯状態を継続する。すなわち、ビデオライト入力スイッチＳＷ１がオンになりビデオライト６が点灯しても、５分間（この時間は任意である）経つと自動的に消灯し、途中で記録・停止スイッチＳＷ２が操作されるとその都度点灯時間が延長され、撮影中に自動消灯することが避けられる。
【００１１】
次に図２のフローチャートを用いて上記回路の動作をより詳細に説明する。
ステップＳＰ１において、ビデオライト入力スイッチＳＷ１をオンすると、ステップＳＰ２においてＣＰＵ１はビデオライト入力スイッチＳＷ１の情報をトリガーに５分間タイマ７を初期状態にセットし、同時にステップＳＰ３においてビデオライトコントロールスイッチＳＷ３がオンし、ビデオライト６は点灯する。ステップＳＰ４において、５分間タイマ７がカウントダウンを開始し、ステップＳＰ５において記録・停止スイッチＳＷ２がオンか否かを判断し、オンでない、すなわち記録・停止スイッチＳＷ２のキーが押されていない条件でステップＳＰ６に進む。
ステップＳＰ６において、５分間タイマ７の設定値が０、すなわちタイムアウトしたときビデオライトコントロールスイッチＳＷ３をオフにし、ビデオライト６は消灯する。
ステップＳＰ５において、記録・停止スイッチＳＷ２がオン、すなわち記録・停止スイッチＳＷ２のキーが押された場合は、ステップＳ２に戻り、５分間タイマをリトリガーし、５分間タイマを初期状態にセットしなおす。
【００１２】
ステップＳＰ６において、５分間タイマがタイムアウトしていない場合は、ステップＳＰ３に戻り、タイムアウトする前に記録・停止スイッチＳＷ２が押された場合は、ステップＳＰ２に戻り、５分間タイマをリトリガーし、５分間タイマ７を初期状態にセットしなおす。
このようにして、記録・停止スイッチＳＷ２がオンされるごとに５分間タイマ７は更新される。
【００１３】
以上のように、本実施の形態によれば、ビデオライト６をビデオカメラに一体に内蔵したので、撮影の都度ビデオライト６を着脱する不便を解消すると共に、ビデオライト６は５分間タイマ７で設定された時間経過後に自動的に消灯するようにしたので、キャリングバッグ等にビデオカメラを収容して持ち運びする場合、知らないうちにビデオライト入力スイッチＳＷ１がオンになっても、５分間タイマ７のタイムアウトで自動的に消灯し、バッテリやランプの無駄な消耗を防止できる。
また、撮影のために記録・停止スイッチＳＷ２を操作すると、その都度５分間タイマは更新されるので、ライトを必要とするにもかかわらず撮影継続中にビデオライト６が消灯してしまい、撮影が中断するという不便をなくすることができる。
さらにまた、５分間タイマ７をクリヤするための操作は、ビデオカメラの記録・停止スイッチＳＷ２をそのまま利用できるため、別の操作用のスイッチを設ける必要がなく、また、撮影時には必ず５分間タイマ７はクリヤされ、撮影中の消灯ミスは皆無にできる。
さらにまた、回路装置は、従来のビデオカメラのＣＰＵ１に５分間タイマを追加するだけで構成でき、低コストで製造できる。
【００１４】
上記実施の形態では、ビデオライト入力スイッチＳＷ１のオン情報のみで５分間タイマ７をセットしているが、カメラブロック９に設けられている照度計の情報をＣＰＵ２からＣＰＵ１に伝え、照明が必要な場合のみビデオライトコントロールスイッチＳＷ３をオンにするように構成することも可能である。
このようにすれば、撮影開始時にビデオライト入力スイッチＳＷ１を１回オンしておけば、ＣＰＵ２が被写体の照度を判断し、ライトが必要と判断すればステップＳ２以下の動作を行うようにすることができる。
【００１５】
【発明の効果】
以上、詳述したように本発明によれば、ビデオライトをビデオカメラに一体に内蔵したので、撮影の都度ビデオライトを着脱する不便を解消すると共に、ビデオライトはタイマで設定された時間経過後に自動的に消灯するようにしたので、キャリングバッグ等にビデオカメラを収容して持ち運びする場合、知らないうちに記録・停止スイッチキーがオンになっても、タイマで設定された時間経過後自動的に消灯する。
したがって、ビデオライトを必要時以外に長時間連続点灯させないことが可能となり、ビデオライトおよびバッテリの長寿命化をはかることができる。
【図面の簡単な説明】
【図１】本発明のライト内蔵ビデオカメラの実施の形態を示すブロック図である。
【図２】図１のブロック図の動作を説明するためのフローチャートである。
【符号の説明】
１  ＣＰＵ
３  電源ブロック
４  キーブロック
５  表示ブロック
６  ビデオライト
７  タイマ（５分間タイマ）
ＳＷ１  ビデオライト入力スイッチ
ＳＷ２  記録・停止スイッチ
ＳＷ３  ビデオライトコントロールスイッチ
【図１】
0003577817.tif 000002
【図２】
0003577817.tif 000003